(57)【要約】【課題】電線・ケーブル巻取用ドラムの巻始口に緩衝部材を備えることにより、ケーブル挿通時の摩擦やケーブル巻き取り時の張力あるいは運搬時の振動によるケーブル損傷を防止すること、あるいは本発明に係る緩衝部材を用いることにより、巻取用ドラムのリサイクルを高めることである。【解決手段】電線・ケーブル巻取用ドラム１の鍔部３に巻き取るためのケーブルの巻始端を挿通させて上記鍔部３の外側部に露出させるための巻始口４を備えた巻取用ドラム１において、上記巻始口４内に挿通保持されるケーブルを保護するための緩衝部材７を設けたものである。【選択図】図１
2007099406.tif 000002
【特許請求の範囲】
【請求項１】
電線・ケーブル巻取用ドラムの鍔部に巻き取るためのケーブルの巻始端を挿通させて上記鍔部の外側部に露出させるための巻始口を備えた巻取用ドラムにおいて、上記巻始口内に挿通保持されるケーブルを保護するための緩衝部材を設けたことを特徴とする電線・ケーブル巻取用ドラム。
【請求項２】
上記緩衝部材がゴムあるいは合成樹脂材等で形成されると共に、上記ケーブルの巻始端を上記鍔部の内側部から外側部に所定の角度を有して傾斜させて案内するための巻始口を一体的に成型し、上記鍔部に予め形成された貫通孔に嵌合自在に取り付けたことを特徴とする請求項１記載の電線・ケーブル巻取用ドラム。
【請求項３】
上記鍔部に、ケーブルの巻始端を鍔部の内側部から外側部に所定の角度を有して傾斜させて案内するための巻始口を形成し、該巻始口内に巻始口内面を覆うように、ゴムあるいは合成樹脂材等から成る緩衝部材を設けたことを特徴とする請求項１記載の電線・ケーブル巻取用ドラム。
【請求項４】
上記緩衝部材が弾性を有すると共に可撓性を有する材料から成型されたことを特徴とする請求項１，２又は３記載の電線・ケーブル巻取用ドラム。
【請求項５】
上記弾性を有すると共に可撓性を有する材料として、ゴム、合成樹脂、発泡スチロール、スポンジ、又は、紙を用いたことを特徴とする請求項４記載の電線・ケーブル巻取用ドラム。
【発明の詳細な説明】
【技術分野】
【０００１】
本発明は、電線やケーブルを巻き取るための電線・ケーブル巻取用ドラムに関するものである。
【背景技術】
【０００２】
一般に、電線あるいはケーブルを所定の長さに保持して搬送あるいは保管するために電線・ケーブル巻取用ドラムが用いられている。
【０００３】
図１２に示すように、この電線・ケーブル巻取用ドラム１１は実質的に、電線あるいはケーブルを巻き取るためのドラム１２と、このドラム１２の両端部に形成された鍔部１３とから主に構成されている。
【０００４】
鍔部１３には、挿通孔が設けられ、日本電線工業規格ＪＣＳ第７７号の規定によると、この挿通孔は巻始口１４と称され、巻始口１４に電線あるいはケーブルの巻き始めの端末部となる巻始端を鍔部１３の内側部より挿通させて鍔部１３の外側部に所定の長さ露出させて固定保持しなければならない。
【０００５】
また、図１３の（ａ）に示すように、鍔部１３に形成される巻始口１４は鍔部１３内側部より外側部に挿通される電線あるいはケーブルの巻始端を所定の角度で傾斜させて案内するような挿通孔を形成したものであり、一般に、平型形状と称されるものである。
【０００６】
図１３の（ｂ）に示す鍔部１３に形成される巻始口１４は、一般形状と称され、巻始口１４を区画形成する内周壁となる一側壁が、内側部と外側部とを結ぶ傾斜面部と、その反対側となる他側壁が所定の傾斜面部と段部とから構成されている。
【０００７】
図１３の（ｃ）に示す鍔部１３に形成される巻始口１４は、これを区画形成する傾斜内壁と垂直内壁とから構成され、一般にくり抜き形状と称されている。
【０００８】
近年、電線あるいはケーブルの最外殻層となるシースは、地球環境及び生活環境に及ぼす影響に配慮して、ＰＶシースに代えてエコ材、いわゆるノンハロゲン難燃ＰＥシースを使用されることが増加している。
【０００９】
上記このエコ材としてのノンハロゲン難燃ＰＥシースは比較的軟らかいため、電線あるいはケーブルの端末部となる巻始端を巻取用ドラムの内側より巻始口に挿通させ鍔部の外側に固定し、上記電線あるいはケーブルを巻取用ドラムのドラムに巻き取る際に、巻始口を区画形成する鍔部の内周面部に凹凸が生じていると、電線あるいはケーブルの巻き取り時の張力によって、最外殻層となるシースに凹凸状の傷を付けてしまうという欠点があった。
【００１０】
この為、巻取用ドラムの巻始口は、巻始口を区画形成する内周面部に凹凸をなくすため、面取り等の特殊加工を施す必要があった。
【００１１】
また、近年、地球環境に及ばす影響に配慮して、電線あるいはケーブル巻取用ドラムとしては木製のドラムが広く用られており、木材を再利用し、森林伐採を低減しようとリサイクルドラム（再生ドラムとも呼ぶ。）を使用する企業が増加している。
【００１２】
このリサイクルドラムは、何度となく循環させて使用されるため、ドラムの板材の歪みあるいは釘、ボルト、ナットの緩みや摩耗により、鍔部を形成する板材の変形、巻始口の変形や表面割れあるいは表面荒れが発生するため、ケーブルの端末部となる巻始端を巻取用ドラムの巻始口に挿通させ鍔部の外側に固定し、電線あるいはケーブルをドラムに巻き取る際に、巻始口の傷や変形によりケーブルを損傷させるという問題点があった。
【００１３】
このような事情のため、リサイクルドラムを回収した後、基準に従って検査をし、基準を満たしたものだけが再使用されているのが現状である。従って、新規巻取用ドラムと比較すると若干品質（グレード）が下がるため、リサイクルドラムの普及拡大の妨げとなっていた。
【００１４】
【特許文献１】実開平５−１９２６５号公報
【特許文献２】実公平７−２６２９９号公報
【発明の開示】
【発明が解決しようとする課題】
【００１５】
本発明は、上記した従来技術の欠点を除くためになされたものであって、その目的とするところは、電線あるいはケーブル巻取用ドラムの巻始口に緩衝部材を設けることにより、巻始口に電線あるいはケーブルを挿通保持して、ドラムに巻き取る際に、巻き取り時の張力あるいは運搬時の振動によるケーブル損傷を未然に防止することである。
【００１６】
また他の目的は、巻取用ドラムの鍔部に、弾性を有すると共に可撓性を有するゴムあるいは合成樹脂材等で成型されると共に、上記ケーブルの巻始端を上記鍔部の内側部から外側部に所定の角度を有して傾斜させて案内するための巻始口を一体的に成形し、嵌合自在に取り付け可能な緩衝部材によって、巻取用ドラムの鍔部に上記緩衝部材と嵌合するための貫通孔を設けるだけで巻始口を形成することができ、鍔部に直接特殊加工を施して巻始口を形成することを不要とすると共に、緩衝部材の交換を可能にし巻取用ドラムの再利用を可及的に高めることである。
【００１７】
また他の目的は、巻取用ドラムの鍔部にケーブルの巻始端を鍔部の内側部から外側部に所定の角度を有して傾斜させて案内するための巻始口が予め形成されている場合であっても、当該巻始口内に巻始口内面を覆うように、弾性を有すると共に可撓性を有するゴムあるいは合成樹脂材等から成る緩衝部材を嵌合自在に取り付けることによって、既存の電線・ケーブル巻取用ドラムに容易に採用することができ、ケーブル挿通時の摩擦やケーブル巻き取り時の張力あるいは運搬時の振動によるケーブル損傷を未然に防止することである。
【００１８】
更に他の目的は、本発明に係る緩衝部材を用いることにより、巻取用ドラムの循環使用による鍔板の変形、巻始口部の変形等のために再使用が不可能となった巻取用ドラムについても使用を可能とし、リサイクルドラムの普及拡大を図ることである。
【課題を解決するための手段】
【００１９】
本発明は、電線・ケーブル巻取用ドラムの鍔部に巻き取るためのケーブルの巻始端を挿通させて上記鍔部の外側に露出させるための巻始口を備えた巻取用ドラムにおいて、上記巻始口内に挿通保持させるケーブルを保護するための緩衝部材を設けたことを特徴とする電線・ケーブル巻取用ドラムである。
【００２０】
また本発明は、上記緩衝部材がゴムあるいは合成樹脂材等で形成されると共に、上記ケーブルの巻始端を上記鍔部の内側部から外側部に所定の角度を有して傾斜させて案内するための巻始口を一体的に成型し、上記鍔部に予め形成された貫通孔に嵌合自在に取り付けたことを特徴とする電線・ケーブル巻取用ドラムである。
【００２１】
また本発明は、上記鍔部に、ケーブルの巻始端を鍔部の内側部から外側部に所定の角度を有して傾斜させて案内するための巻始口を形成し、該巻始口内に巻始口内面を覆うように、ゴムあるいは合成樹脂材等から成る緩衝部材を設けたことを特徴とする電線・ケーブル巻取用ドラムである。
【００２２】
また本発明は、上記緩衝部材が弾性を有すると共に可撓性を有する材料から成型されたことを特徴とする電線・ケーブル巻取用ドラムである。
【００２３】
また本発明は、上記弾性を有すると共に可撓性を有する材料として、ゴム、合成樹脂、発泡スチロール、スポンジ、又は、紙を用いたことを特徴とする電線・ケーブル巻取用ドラムである。
【発明の効果】
【００２４】
本発明によれば、次の如き効果が得られる。
【００２５】
電線あるいはケーブル巻取用ドラムの鍔部に形成される巻始口に緩衝部材を設けることで、電線あるいはケーブルが緩衝されて巻始口に挿通保持されることになり、比較的軟らかいノンハロゲン難燃ＰＥシースを採用した電線あるいはケーブルの損傷を防止することができる。
【００２６】
また緩衝部材が巻取用ドラムの鍔部から着脱自在に取り付けられることにより、緩衝部材の交換が可能となり、この種の巻取用ドラムの再利用（リサイクル）を高めることができる。  
【発明を実施するための最良の形態】
【００２７】
図１に示すように、電線あるいはケーブルを巻き取るための木製の電線・ケーブル巻取用ドラム１は従来例と同様に、電線あるいはケーブルを実質的に巻き取るドラム２と、このドラム２より大きな径を有する鍔部３とによって主に構成されている。木製の巻取用ドラムにあっては鍔部３は少なくても上下二枚以上木板を交互に重ねて円盤状に形成されている。ドラム２の両端部には挟むようにそれぞれ鍔部３がボルトとナット等の締結部材５によって取り付けられている。また、鍔部３の軸芯部には電線あるいはケーブルの敷設工事などで電線あるいはケーブルを繰り出す時に、図示されていない回転軸により巻取用ドラム１を回転自在に支持するための軸穴６が設けられている。鍔部３のいずれか一方には、ケーブルの完成検査などで使用するケーブルの端末部となる巻始端を挿通させる巻始口４が設けられる。この巻始口４には緩衝部材７が設けられることになる。
【実施例１】
【００２８】
図２、図３及び図４は本発明に係る電線・ケーブル巻取用ドラムの第１実施例を示すものである。
【００２９】
図２及び図３に示すように、木製によって構成される電線あるいはケーブル巻取用ドラム１は木製の鍔部３を備えており、いずれか一方の鍔部３には貫通孔８が形成されている。この貫通孔８は図２に示すように鍔部３の円周方向に所定の長さと巾とを有すると共に両端部が円弧状に形成され、全体として弧状の楕円形を呈している。この鍔部３に形成された貫通孔８には着脱自在に嵌合されるべく緩衝部材７が取り付けられている。この緩衝部材７は弾性を有すると共に可撓性を有するゴムあるいは合成樹脂、発泡スチロール、スポンジ又は紙等で成型されると共に電線あるいはケーブルの端末部となる巻始端を鍔部３の内側部であるドラム側からその反対の外側部に所定の角度を有して傾斜させて案内するための巻始口４が一体的に形成されている。また、この緩衝部材７には、鍔部３の内側部に係合するための係合フランジ９が一体的に形成されている。
【００３０】
鍔部３に係合するための係合フランジ９は図４に示すように鍔部３の外側部に係合するように緩衝部材７に一体的に成型しても良いことは勿論である。
【００３１】
以上の実施例にあっては緩衝部材７は鍔部３の貫通孔８内に接着剤で接着するかステップルなどで固定させて取り付けられるか、必要に応じて取り外し可能となるように所謂着脱自在になるよう取り付けられることになる。
【００３２】
図５、図６及び図７に示される緩衝部材７は、図２、図３及び図４に示された緩衝部材７と同様、弾性を有すると共に可撓性を有するゴムあるいは合成樹脂、発泡スチロール、スポンジ又は紙等により成型されると共に、予め鍔部３に形成された貫通孔８内に接着剤等を介して固定される。
【００３３】
また、図２、図３及び図４の実施例とは異なり鍔部３の内外側部のいずれか一方、即ち挿入側に係合フランジを有してないものである。
【００３４】
また、これら緩衝部材７には巻き取られる電線あるいはケーブルの巻始端を挿通されるための巻始口４が一体的に形成されている。
【００３５】
図５に示される鍔部３に形成される貫通孔８は直線状に形成されたものである。図６及び図７に示される鍔部３に形成される貫通孔８は所定の角度に傾斜されている。これら貫通孔８の形状に対応して嵌合するように緩衝部材７が成型されると共に接着剤等で固定されることになる。
【００３６】
尚、いずれの場合においても緩衝部材７は鍔部３に接着剤等の接着力をなくして緩衝部材７を鍔部３の貫通孔８から取り外し可能とし、緩衝部材７の交換を可能に構成されることになる。
【００３７】
次に上記実施例の作用について述べる。
【００３８】
本発明に係る電線・ケーブル巻取用ドラム１は、巻始口４に緩衝部材７を備えていることにより、電線あるいはケーブルをこの巻取用ドラム１に巻き取るに際して、巻始口４に電線あるいはケーブルの巻始端を挿入して鍔部３の外側部に露出させるように保持した後、ドラム２に巻き取ることにより所定の長さの電線あるいはケーブルが巻き取られることになる。
【００３９】
このように、緩衝部材７を介して電線あるいはケーブルの巻始端を巻始口４に挿入保持することにより、巻取用ドラム１に電線あるいはケーブルを巻き取る際に生じる張力あるいは運搬乃至輸送時における振動を巻始口４によって電線あるいはケーブルの損傷を未然に防止することができる。
【００４０】
また、特に、緩衝部材７は、実質的にケーブルを挿入保持する巻始口４を一体的に形成されており、鍔部３に予め形成される貫通孔８に着脱自在に嵌合あるいは取り付けることで鍔部３に巻始口４を形成することができる。即ち、従来のように鍔部３に直接巻始口４を形成する必要がない。
【００４１】
また、緩衝部材７に一体的に巻始口４を形成したことにより、この巻始口４が、例えば損傷した場合には交換することができ、この種の電線・ケーブル巻取用ドラム１のリサイクルが高められことになる。
【００４２】
特に、本発明に係る緩衝部材７は弾性を有すると共に可撓性を有するゴムあるいは合成樹脂、発泡スチロール、スポンジ又は紙等によって成型されているので、ノンハロゲン難燃ＰＥシースのようなエコ材を採用した場合においてもシース材を損傷することなく巻取用ドラムに巻き取ることができる。
【実施例２】
【００４３】
図８、図９、図１０及び図１１は本発明に係る電線・ケーブル巻取用ドラムの第２実施例を示すものである。
【００４４】
図８、図９、図１０及び図１１に示す実施例にあっては電線・ケーブル巻取用ドラム２１の鍔部１３には従来例と同様に電線あるいはケーブルの巻始端を挿通させるための巻始口１４が一体的に形成され、この巻始口１４内に弾性を有すると共に可撓性を有するゴムあるいは合成樹脂、発泡スチロール、スポンジ又は紙等で成型された緩衝部材２７が取り付けられることになる。
【００４５】
図示するように、鍔部１３にはドラム側、即ち内側部からその反対側の外側部に臨んで所定の角度で傾斜させてケーブルの巻始端を案内するための巻始口１４にその内面乃至内周面を覆うように弾性を有すると共に可撓性を有するゴムあるいは合成樹脂、発泡スチロール、スポンジ又は紙等からなる筒状の緩衝部材２７を着脱自在に取り付けたものである。
【００４６】
この筒状の緩衝部材２７には鍔部１３の内側あるいは外側に係合するための係合フランジ２９が一体的に形成されている。
【００４７】
この第２実施例における緩衝部材２７は、弾性を有すると共に可撓性を有するゴムあるいは合成樹脂、発泡スチロール、スポンジ又は紙等によるシート材によって構成され、既存のこの種の巻取用ドラムに簡単に採用することができるように構成されている。
【００４８】
以上の実施例における緩衝部材２７は、木製の巻取用ドラム、鉄性あるいは金属製の巻取用ドラム等に採用することができる。
【図面の簡単な説明】
【００４９】
【図１】本発明に関する電線・ケーブル巻取用ドラムの斜視図である。
【図２】本発明の第１実施例の要部拡大側面図である。
【図３】図２のＡ−Ａ線矢視断面図である。
【図４】本発明の他の実施の形態を示す電線・ケーブル巻取用ドラムの平面断面図である。
【図５】本発明の他の実施の形態を示す電線・ケーブル巻取用ドラムの平面断面図である。
【図６】本発明の他の実施の形態を示す電線・ケーブル巻取用ドラムの平面断面図である。
【図７】本発明の他の実施の形態を示す電線・ケーブル巻取用ドラムの平面断面図である。
【図８】本発明の第２実施例の平面断面図である。
【図９】本発明の他の実施の形態を示す電線・ケーブル巻取用ドラムの平面断面図である。
【図１０】本発明の他の実施の形態を示す電線・ケーブル巻取用ドラムの平面断面図である。
【図１１】本発明の他の実施の形態を示す電線・ケーブル巻取用ドラムの平面断面図である。
【図１２】従来の電線・ケーブル巻取用ドラムの斜視図である。
【図１３】図１２の巻始口の平面断面図である。
【符号の説明】
【００５０】
１  電線・ケーブル巻取用ドラム
２  ドラム（胴）
３  鍔部
４  巻始口
７  緩衝部材
２７  緩衝部材
８  貫通孔
９  係合フランジ
２９  係合フランジ
【図１】
2007099406.tif 000003
【図２】
2007099406.tif 000004
【図３】
2007099406.tif 000005
【図４】
2007099406.tif 000006
【図５】
2007099406.tif 000007
【図６】
2007099406.tif 000008
【図７】
2007099406.tif 000009
【図８】
2007099406.tif 000010
【図９】
2007099406.tif 000011
【図１０】
2007099406.tif 000012
【図１１】
2007099406.tif 000013
【図１２】
2007099406.tif 000014
【図１３】
2007099406.tif 000015